(57)【特許請求の範囲】
【請求項１】
記録可能な光ディスクにおいて、
読み出し専用のシステム領域と、
記録が可能なデータ領域を備え、
所定の記録速度をもって記録可能であることが当該光ディスクに対する記録特性の検証に基づいてディスクメーカによって保証され、設定された領域のディスク径方向における境界を示す境界情報が、前記システム領域に記録され、
前記データ領域は、予め、前記所定の記録速度にて必ず記録が可能であることを要する記録保証ゾーンと、当該記録速度にてどの径方向位置まで記録を行い得るかをディスクメーカがディスク毎に適宜保証し得る選択ゾーンとに径方向に区分され、
前記境界は、前記選択ゾーン内に設定されている、
ことを特徴とする光ディスク。
【請求項２】
請求項１に記載の光ディスクにおいて、
ディスク厚み方向に複数の記録層を備え、
前記境界情報は、前記記録層毎に、前記システム領域に記録されている、
ことを特徴とする光ディスク。
【請求項３】
請求項２に記載の光ディスクにおいて、
前記複数の記録層のうち最も光入射側の記録層に対して設定された前記境界よりも、他の記録層の境界がディスク外周側にシフトしている、
ことを特徴とする光ディスク。
【請求項４】
請求項１ないし３の何れか一項に記載の光ディスクにおいて、
前記境界情報は、前記データ領域に形成された記録トラックのアドレス情報である、
ことを特徴とする光ディスク。
【請求項５】
記録可能な光ディスクにおいて、
読み出し専用のシステム領域と、
記録が可能なデータ領域を備え、
前記データ領域は、予め、所定の記録速度にて記録が可能であることを要する記録保証ゾーンと、当該記録速度による記録動作をサーボ特性に応じて光記録装置が保証する境界を、前記光記録装置が適宜確定し得る選択ゾーンとに径方向に区分されている、
ことを特徴とする光ディスク。
【発明の詳細な説明】
【技術分野】
【０００１】
本発明は、記録可能な光ディスクおよびこれに記録を行うための光ディスク装置に関し、特に、通常の記録速度よりも高速のいわゆる倍速記録にて記録が行われる場合に用いて好適なものである。
【背景技術】
【０００２】
従来、記録可能な光ディスクでは、通常の記録速度よりも高速のいわゆる倍速記録がなされる場合がある。記録速度を２倍速、３倍速とすることで、記録に要する時間を短縮でき、ユーザの利便性が高まる。このため、近年では、記録速度の更なる高速化が求められ、これに応じて、既に８倍速以上のドライブも商品化されている。
【０００３】
しかし、その一方で、光ディスクには強度に限界があり、倍速記録時にあまりに高速で回転されると、ポリカーボネート基板が破損する等の問題が起こり得る。特に、次世代ＤＶＤ（Digital Versatile Disc）の一つであるＨＤ ＤＶＤ（High-Definition Digital Versatile Disc、以下「ＨＤ」という）では、ノーマル記録時の線速度が６．６１ｍ／ｓｅｃであり、倍速記録を行う場合には、ディスク回転数がかなり高くなる。この場合、ディスク回転数は内周へ向かうほど高くなり、４倍速程度でも、所定半径位置よりも内周側の領域への記録の際に、回転数が１００００ｒｐｍを超えるようになる。なお、回転数１００００ｒｐｍは、現状において、光ディスクの強度限界を考える際の一つの目安となっている。
【０００４】
したがって、ＨＤについて４倍速以上で記録を行う場合、内周部では、限界回転数を超える回転数にてＨＤに記録を行う必要がある。しかし、このように高速回転させながら記録を行う場合には、記録信号の特性が必ずしも適正であるとは限らず、記録情報の信頼性が十分でない可能性も生じ得る。その一方、ディスクメーカは、通常、自社ディスクの信頼性を保証すべく検証を行うが、このように回転数が１００００ｒｐｍを越える範囲では、検査装置の特性やディスク強度等との関係から適正な検証を行い難く、このため、回転数が低い中周あるいは外周領域において記録特性の検証を行い、それよりも内周では、精々、検証が可能な１００００ｒｐｍよりも低い領域のみを検証するに留まるものと考えられる。
【特許文献１】特開２００８−０１６１５９号公報
【発明の開示】
【発明が解決しようとする課題】
【０００５】
上記の場合、ユーザの利便性を考えると、なるべく広範囲で倍速記録が行われるのが望ましく、その一方で、記録特性が保証されない内周部でも倍速記録を行うと、記録情報の信頼性が低下し、貴重な情報が消失する惧れがある。ここで、ディスクにおける内周側のどの範囲まで倍速記録時の信号特性が保証されるかは、上記のように、ディスクメーカ側における検証方法や検証装置の性能等に負うところが大きくなり、ディスクメーカ毎もしくはディスク毎にまちまちとなる。よって、ドライブ側で一律に倍速記録可能な範囲を設定し、これをもとに倍速記録を実行すると、ディスクによっては指定された倍速での記録特性が保証されない領域に倍速記録が行われて記録情報の信頼性が阻害され、また、他のディスクでは、倍速記録が可能な領域であるにも拘らず倍速記録が実行されず、結果的に、ユーザの利便性が阻害されることも起こり得る。
【０００６】
本発明は、このような問題を解消するためになされたものであり、適正な範囲で倍速記録を行うことにより、ユーザの利便性の向上と記録情報の信頼性を同時に実現できるようにすることをその目的とする。
【課題を解決するための手段】
【０００７】
本発明の第１の態様は、記録可能な光ディスクにおいて、読み出し専用のシステム領域と、記録が可能なデータ領域を備え、所定の記録速度をもって記録可能であることが当該光ディスクに対する記録特性の検証に基づいてディスクメーカによって保証され、設定された領域のディスク径方向における境界を示す境界情報が、前記システム領域に記録されていることを特徴とする。ここで、前記データ領域は、予め、前記所定の記録速度にて必ず記録が可能であることを要する記録保証ゾーンと、当該記録速度にてどの径方向位置まで記録を行い得るかをディスク毎に適宜保証し得る選択ゾーンとに径方向に区分され、前記境界は、前記選択ゾーン内に設定されている。なお、以下の実施形態では、システムリードイン領域１３が本態様のシステム領域に相当する。
【０００９】
第２の態様は、上記第１の態様に係る光ディスクにおいて、ディスク厚み方向に複数の記録層を備え、前記境界情報は、前記記録層毎に、前記システム領域に記録されていることを特徴とする。
【００１０】
第３の態様は、上記第２の態様に係る光ディスクにおいて、前記複数の記録層のうち最も光入射側の記録層に対して設定された前記境界よりも、他の記録層の境界がディスク外周側にシフトしていることを特徴とする。この態様において、他の記録層の境界のシフト
量は、たとえば、光ディスクに想定される偏心量や、光ディスクに起こり得るターンテーブルへの装着誤差等を考慮して設定される。
【００１１】
第４の態様は、上記第１ないし３の態様の何れかに係る光ディスクにおいて、前記境界情報は、前記データ領域に形成された記録トラックのアドレス情報であることを特徴とする。
【００１４】
第５の態様は、記録可能な光ディスクにおいて、読み出し専用のシステム領域と、記録が可能なデータ領域を備え、前記データ領域は、予め、所定の記録速度にて記録が可能であることを要する記録保証ゾーンと、当該記録速度による記録動作をサーボ特性に応じてドライブ装置が保証する境界を、前記ドライブ装置が適宜確定し得る選択ゾーンとに径方向に区分されていることを特徴とする。
【発明の効果】
【００１７】
第１の態様によれば、所定の記録速度をもって記録可能であることが保証された領域のディスク径方向における境界を示す境界情報が、システム領域に記録されているため、光ディスク装置は、システム領域を再生することにより、各記録速度（倍速）に対応する記録保証のための境界を識別することができる。よって、光ディスク装置は、記録時に高速記録（倍速記録）が指定された場合には、この境界よりも外周側では当該高速記録（倍速記録）を実行し、それより内周側では、指定された速度（倍速）よりも低速で記録を行うよう、記録速度を適正に制御することができ、こうすることにより、高速記録（倍速）によるユーザの利便性向上と記録情報の信頼性を同時に実現することができる。
また、境界が選択ゾーン内に設定されているかを光ディスク装置において確認すること
ができ、たとえば、境界が選択ゾーン外に設定されている場合には、信頼性が疑わしい光ディスクであるとして、高速記録（倍速記録）を実行せず、あるいは、記録自体を行わない等の動作を、光ディスク装置側において行うことができる。
【００１９】
また、第３の態様によれば、複数の記録層のうち最も光入射側の記録層に対して設定された境界よりも、他の記録層の境界をディスク径方向にシフトさせたため、他の記録層に対する境界の信頼性を高めることができる。
【００２０】
ディスクの厚み方向に複数の記録層が配されている場合、一般に、光入射側に最も接近した記録層（Ｌ０）の特性が他の記録層よりも良好となる。このため、同じ径方向位置であれば、記録信号の信頼性は、記録層（Ｌ０）が最も高く、したがって、記録特性保証の境界も記録層（Ｌ０）の境界が他の記録層よりも内周にあって然るべきである。この点に鑑み、第４の態様では、最も光入射側の記録層（Ｌ０）に対し設定された境界よりも、他の記録層の境界をディスク外周側にシフトさせている。これにより、特に、記録層（Ｌ０）以外の他の記録層についての境界の信頼性が高められ、結果、記録情報の信頼性を高めることができる。
【００２１】
なお、この態様において、記録層（Ｌ０）の境界に対する他の記録層の境界のシフト量は、たとえば、光ディスクに想定される偏心量や、ターンテーブルに対する光ディスクの装着誤差の最大想定値等を考慮して設定される。
【００２２】
たとえば、偏心量を考慮する場合、想定される最大偏心量だけ、他の記録層の境界を記録層（Ｌ０）の境界から外周側にシフトさせるようにする。上記のとおり、記録特性は、記録層（Ｌ０）が最も安定しているため、光ディスクに境界を設定する場合には、記録層（Ｌ０）に対して検証を行って境界を取得し、この境界を所定マージンだけ外周側にシフトした位置に、各記録層の境界を設定する方法が取られ得る。この場合、マージンは、記録層（Ｌ０）と他の記録層との間の記録特性の差を考慮して、他の記録層においてもその境界をもって倍速記録が保証できるよう広めに設定される。
【００２３】
しかし、通常、光ディスクには個別に偏心があるため、実際のディスクに対しこの境界をそのまま設定すると、上記のようにマージンを広めに設定しても、記録特性が劣る他の記録層については、この境界が適正でなくなる惧れがある。よって、これを回避するために、記録層（Ｌ０）以外の他の記録層については、マージンをとった後の境界からさらに最大偏心量だけ外周側にシフトした位置に境界を設定するようにする。こうすると、ディスク毎に個別に偏心があっても、各記録層に対する境界が保証され、境界の信頼性を高めることができる。
【００２４】
同様に、ターンテーブルに対する光ディスクの装着誤差を考慮する場合には、当該誤差の最大想定値だけ、他の記録層の境界を記録層（Ｌ０）の境界から外周側にシフトさせるようにする。ここで、装着誤差とは、ターンテーブルの回転軸に対するディスクセンターの位置関係がディスク検証時に対してずれることをいう。この装着誤差は、たとえば、ディスククランプ時に、ディスクのセンターホールとこのセンターホールに係合するターンテーブルのハブとの係合状態が、ディスク検証時の係合状態に対してずれることによって生じる。
【００２５】
この場合も、上記偏心の場合と同様、記録層（Ｌ０）を基準に他の記録層の境界を設定すると、実際のディスクでは、装着誤差に起因して、記録層（Ｌ０）以外の他の記録層の境界が適正でなくなる惧れがある。よって、これを回避するために、記録層（Ｌ０）以外の他の記録層については、マージンをとった後の境界からさらに装着誤差の最大想定値だけ外周側にシフトした位置に境界を設定するようにする。
【００２７】
第５の態様によれば、所定の記録速度をもって記録が可能であることを要する記録保証ゾーンが予めデータ領域に設定されているため、光ディスク装置は、対応する記録速度（倍速）にて記録が行える範囲を識別することができる。よって、光ディスク装置は、記録時に高速記録（倍速記録）が指定された場合には、記録保証ゾーンでは当該高速記録（倍速記録）を実行し、それより内周側では、指定された速度（倍速）よりも低速で記録を行うよう、記録速度を適正に制御することができ、こうすることにより、高速記録（倍速）によるユーザの利便性向上と記録情報の信頼性を同時に実現することができる。
また、選択ゾーンが設定されているため、光記録装置側において、選択ゾーン内に当該記録速度（倍速）にて記録が可能な領域の境界を設定することにより、当該記録速度（倍速）にて記録を行える範囲を拡張することができ、ユーザの利便性を高めることができる。すなわち、光ディスク装置側において、所定の記録速度（倍速）にて記録が可能な領域の境界を、適宜、選択ゾーン内に設定することができ、当該記録速度（倍速）にて記録を行える範囲を拡張することができる。
【００３０】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【発明を実施するための最良の形態】
【００３１】
以下、本発明の実施の形態につき図面を参照して説明する。本実施の形態は、記録可能なＨＤに本発明を適用したものである。
【００３２】
まず、図１に、ディスク１０のエリアフォーマットを示す。
【００３３】
ディスク１０は、内周から順に、クランプ領域１１、バーストカッティング領域（ＢＣＡ）１２、システムリードイン領域１３、データ領域１４、データリードアウト領域１５にエリア分割されている。
【００３４】
ＢＣＡ１２には、ＨＤ規格に従う形態にて、所定の情報が記録されている。具体的には、平坦な記録層をディスク円周方向に沿って間欠的に消失させることにより、BCA_IDや、当該ディスクが準拠する規格書のブック番号等の情報が記録されている。また、ＢＣＡ１２にはディスクの種類も記録されており、この情報に基づいて、ブック番号と合わせてディスクの種類を特定することができる。なお、記録層の消失は、高パワーレーザを用いて記録層を焼き切る方法等によって行われる。ここで、ＢＣＡ情報は、ディスク判別が可能な情報を含んでいるが、如何なる倍速で記録が可能かを示す情報などは含んでいない。
【００３５】
ＢＣＡ１２上にビームスポットを位置づけると、その反射光には、記録層の消失部分と非消失部分に応じて、明暗が生じる。この明暗の変化を復調することにより、ＢＣＡ１２に記録された情報が再生される。
【００３６】
システムリードイン領域１３には、記録層上に螺旋状にピット列を配列することにより、当該ディスクの物理パラメータ（ピットサイズ、トラックピッチ、等）に関する情報等が記録されている。システムリードイン領域１３に記録される情報の詳細は、追って、図３を参照して説明する。なお、システムリードイン領域１３には、グルーブは形成されておらず、ピット列のみが形成されている。
【００３７】
データ領域１４には、螺旋状にグルーブが形成されている。このグルーブ上に、種々のデータが記録される。グルーブは、径方向に蛇行（ウォブル）しており、このウォブルによって物理アドレスが保持されている。すなわち、物理アドレスを保持する位相変調区間が、単調蛇行区間中に一定周期で挿入されており、かかる位相変調区間をビームが走査するとき、その反射光強度の変化からグルーブ上の物理アドレスが読み取られ再生される。なお、データの記録は、ディスク内周側から外周に向かって行われる。
【００３８】
データリードアウト領域１５には、データ領域１４と同様、螺旋状のグルーブが形成されている。また、このグルーブも、データ領域１４と同様、ディスク径方向に蛇行（ウォブル）している。データリードアウト領域１５には、ＨＤ規格に従ってゾーンが設定されるが、ユーザデータは記録されない。
【００３９】
ここで、システムリードイン領域１３は、ディスクの初期物理情報等の読み出しを容易にするため、トラックピッチが広く設定されている。尚、本実施の形態にて用いたディスクの物理パラメータを表１に示す。
【００４０】
【表１】
0005281804.tif 000002
【００４１】
図２に、システムリードイン領域１３のデータフォーマットを示す。
【００４２】
図示の如く、システムリードイン領域１３の初期物理情報は、イニシャルゾーン、バッファゾーン、コントロールデータゾーン、バッファゾーンに区分される。このうち、コントロールデータゾーンに、物理パラメータ等のデータが保持される。すなわち、コントロールデータゾーンは、コントロールデータセクション、コピーライトデータセクション、リザーブセクション、コントロールデータセクション、コピーライトデータセクションに区分される。２つのコントロールデータセクション、コピーライトデータセクションには、同じ情報が保持される。
【００４３】
このうち、コントロールデータセクションに、規格書のBookバージョン情報や、記録パワー情報、記録開始位置情報等の物理パラメータ情報が保持される。この他、コントロールデータセクションには、ディスク製造者を特定するディスク製造情報や、コピープロテクション情報、アンプレイアブルドライブマニュファクチャＩＤが保持され、さらに、リザーブエリアが設定されている。
【００４４】
本実施の形態では、物理パラメータ情報の一つとして、所定倍速での記録パラメータに加えて、所定倍速にて記録が可能であることが保証された領域の境界を示す境界情報（物理アドレス）が、その倍速情報に関連付けて、コントロールデータセクションに保持されている。従来の物理パラメータ情報には空き容量があるため、この空き容量を用いて、境界情報（物理アドレス）と倍速情報とを対応付けた情報（以下、「ディスク境界情報」という）が物理パラメータ情報に含まれている。例えば、ディスク１０が対応している記録速度それぞれに対し、４バイトの境界情報（物理アドレス）を割り当てる。この４バイトには各記録速度で記録が可能であることが保証された最内周の物理アドレスを設定するが、ディスク１０全体に対して保証可能な記録速度の場合には、ディスク１０に存在しない物理アドレス、例えば“物理アドレス＝００００００００ｈ”といった値を設定しても良い。
【００４５】
本実施の形態では、ＢＣＡ情報に倍速情報が含まれていないため、システムリードイン情報を再生しなければ、ディスク１０が倍速記録媒体かどうかわからない。特に記録型のディスクでは、記録に先立ち記録パラメータや倍速情報を読み出す必要がある。物理パラメータ情報はドライブ（光ディスク装置）によってディスク１０から必ず読み出される。したがって、このようにディスク境界情報を物理パラメータ情報に含めておくことにより、ディスク境界情報が必ずドライブによって取得されるようになる。
【００４６】
なお、ディスク境界情報をコントロールデータセクションのリザーブエリアに保持させるようにしても良いが、ドライブによってはリザーブエリアを読まない場合もあり、このため、ディスク境界情報がドライブによって円滑に取得されないことも起こり得る。この理由から、ディスク境界情報は、上記のように、ドライブによって必ず読み取られる物理パラメータ情報に含めるのが好ましい。
【００４７】
この他、ディスク境界情報をＢＣＡ１２に保持させても良い。こうすると、ディスク判別時に瞬時にディスク境界情報を取得でき、対応する倍速情報が取得可能となる。この場合、対応するそれぞれの倍速について記録パラメータ、サーボパラメータなどの詳細情報も取得できるよう、これらの情報をＢＣＡ情報に含めて記録するほうが望ましい。ただし、データ容量の点からＢＣＡにすべての情報が記録できない場合には、上記の如くシステムリードイン情報にディスク境界情報を含ませるのが良い。こうすると、ディスク境界情報の読み出しのためにドライブ動作が煩雑となることはなく、また、ディスク境界情報の記録位置が通常読み出すエリアの空き領域であれば、ドライブ動作を大きく変更することなく対応することが可能となり、ドライブ開発などのコストも抑えることが可能となる。
【００４８】
図３は、ディスク境界情報の設定例を示す図である。同図（ａ）、（ｂ）、（ｃ）、（ｄ）は、それぞれ、記録速度が２倍速、４倍速、６倍速、８倍速の場合のディスク境界情報の設定例を示している。
【００４９】
本実施の形態では、倍速記録として、２倍速、４倍速、６倍速、８倍速が想定されている。また、データ領域１３は、あらかじめ倍速毎に、記録保証ゾーンと、選択ゾーンと、未検証ゾーンとに径方向に区分されている。このうち、記録保証ゾーンは、対応する倍速にて必ず記録が可能であることが保証されなければならないゾーンであり、選択ゾーンは、対応する倍速にてどの径方向位置まで記録を行い得るかをディスクメーカがディスク毎に適宜保証し得るゾーンである。さらに、未検証ゾーンは、その倍速で回転させるとディスクが破損する惧れがあるためなど、その倍速においては、ディスクメーカが通常の手法で検証が行えないとして予め設定されたゾーンである。
【００５０】
ディスクメーカは、対応する倍速にてどの径方向位置までの記録を保証するかを、それぞれの選択ゾーンについて設定する。この設定は、自社のディスク１０に対して、ディスクメーカが独自の評価方法で検証を行うことにより行われる。そして、設定された境界位置（物理アドレス）とその倍速情報が、ディスク境界情報として、上記の如くシステムリードイン領域１３に記録される。図３では、各倍速における境界位置（物理アドレス）が、それぞれ、Ａｂ４、Ａｂ６、Ａｂ８として示されている。
【００５１】
なお、同図では、２倍速においてデータ領域１３の全領域が記録保証ゾーンに設定されている。このため、２倍速には上述の境界位置がなく、この場合、２倍速のディスク境界情報は、データ領域１３の全領域において記録が保証されていることを示す情報とされる。
【００５２】
図４に、ディスク１０に対し記録再生を行う光ディスク装置の構成を示す。
【００５３】
図示の如く、光ディスク装置は、エンコーダ２０１と、変調回路２０２と、レーザ駆動回路２０３と、光ピックアップ装置２０４と、信号増幅回路２０５と、復調回路２０６と、デコーダ２０７と、アドレス生成回路２０８と、サーボ回路２０９と、コントローラ２１０と、ディスク駆動モータ２１１を備えている。
【００５４】
エンコーダ２０１は、入力された記録データに対し誤り訂正符号の付加等のエンコード処理を施し、変調回路２０２へ出力する。変調回路２０２は、入力された記録データに所定の変調を施し、さらに記録信号を生成してレーザ駆動回路２０３に出力する。
【００５５】
レーザ駆動回路２０３は、記録時に、変調回路２０２からの記録信号に応じた駆動信号を光ピックアップ装置２０４内の半導体レーザに供給し、再生時に、一定パワーにてレーザ光を発光させるべく、光ピックアップ装置２０４内の半導体レーザに駆動信号を供給する。ここで、記録時および再生時のレーザパワーは、コントローラ２１０によってコントロールされる。コントローラ２１０は、記録時に、試し書きエリアに試し書きを行ってレーザ光を最適パワーに設定する。
【００５６】
光ピックアップ装置２０４は、波長４０５ｎｍ程度のレーザ光を出射する半導体レーザと、ディスク１０からの反射光を受光する光検出器を備え、さらに、トラックに対するレーザ光の照射状態を調整するための対物レンズアクチュエータと、半導体レーザから出射されたレーザ光を対物レンズに導き、且つ、ディスク１０からの反射光を光検出器に導くための光学系等を備えている。
【００５７】
信号増幅回路２０５は、光ピックアップ装置２０４内に配された光検出器からの出力信号を増幅および演算処理して、再生ＲＦ信号、フォーカスエラー信号、トラッキングエラー信号、ウォブル信号等を生成し、これら信号を対応する回路に供給する。信号生成回路２０５は、ラジアル方向（ディスク径方向）の反射光強度分布を検出する一対の光センサーから信号を減算増幅してラジアルプッシュプル信号（ＲＰＰ信号）を生成する。さらに、このＲＰＰ信号の低周波成分を抽出してトラッキングエラー信号を生成し、また、ＲＰＰ信号の高周波成分を抽出してウォブル信号を生成する。ウォブル信号は、ディスク１０に形成された上記グルーブの蛇行形状に応じた信号となる。
【００５８】
復調回路２０６は、信号増幅回路２０５から入力された再生ＲＦ信号を復調して再生データを生成し、これをデコーダ２０７に出力する。デコーダ２０７は、復調回路２０６から入力されたデータに対し誤り訂正等のデコード処理を施し、後段回路に出力する。また、デコーダ２０７は、再生したＢＣＡ情報やシステムリードイン情報等の管理情報をコントローラ２１０に出力する。コントローラ２１０は、これら管理情報を内蔵メモリに格納する。
【００５９】
アドレス生成回路２０８は、信号増幅回路２０５から入力されたウォブル信号からアドレス情報を再生し、これらをコントローラ２１０に出力する。
【００６０】
サーボ回路２０９は、信号生成回路２０５から入力されたフォーカスエラー信号およびトラッキングエラー信号からフォーカスサーボ信号およびトラッキングサーボ信号を生成し、光ピックアップ２０４内の対物レンズアクチュエータに出力する。また、信号生成回路２０５から入力されたウォブル信号からモータサーボ信号を生成し、ディスク駆動モータ２１１に出力する。サーボ回路２０９は、ノーマル速度での記録時および倍速記録時に、線速度が一定となるようディスク１０を駆動する。
【００６１】
コントローラ２１０は、ＣＰＵ（Central Processing Unit）とメモリを備え、メモリに各種データを格納するとともに、あらかじめメモリ内に格納された制御プログラムに従って各部を制御する。なお、コントローラ２１０は、倍速記録時に、外周側からどの半径位置（物理アドレス）まで自身がその倍速で記録できるかを示す境界情報（以下、「ドライブ境界情報」という）を、その倍速に関連付けて記憶している。このドライブ境界情報は、当該光ディスク装置の性能をもとに、ドライブメーカ側で独自に設定されるものである。
【００６２】
図５に、倍速記録時の処理フローを示す。なお、この処理フローは、ディスク１０が追記型ディスク（ＨＤＤＶＤ−Ｒ）である場合のものである。
【００６３】
ディスク１０が光ディスク装置に装着されると、システムリードイン情報が読み出され、コントローラ２１０内のメモリに格納される。ここで、システムリードイン情報は、図２のシステムリードイン領域１３から直接読み取られる場合の他、データ領域１４のデータリードインにコピーされているシステムリードイン情報を読み取って取得される場合もある。かかる初期動作の後、ユーザからの指示に応じて、記録動作が開始される。
【００６４】
挿入されたディスクがブランクディスクである場合は、システムリードイン情報が読み取られ、データ領域１４にデータリードイン領域が作製され、作成されたデータリードイン領域にシステムリードイン情報がコピーされ、さらにドライブテスト領域などが設定される。データリードイン領域の記録線速度は、もっとも記録特性のよい線速度、つまり最高速度よりは低速度とするのが望ましく、１倍速、もしくは２倍速での記録が好適である。
【００６５】
ユーザから８倍速による記録が指定された場合、コントローラ２１０は、システムリードイン情報に含まれたディスク境界情報から、８倍速に対応する境界情報（物理アドレス）Ａｂ８を読み取り、この境界情報Ａｂ８と現記録位置の物理アドレスＡｃとを比較する（Ｓ１０１）。そして、現記録位置の物理アドレスＡｃが境界情報Ａｂ８よりもディスク外周側になければ（Ｓ１０１：ＮＯ）、コントローラ２１０は、８倍速よりも１ランク低速の６倍速に対応する境界情報（物理アドレス）Ａｂ６と現記録位置の物理アドレスＡｃとを比較する（Ｓ１１１）。
【００６６】
ここで、現記録位置の物理アドレスＡｃが境界情報Ａｂ６よりもディスク外周側にあれば（Ｓ１１１：ＹＥＳ）、次に、コントローラ２１０は、自身の記録限界位置を示すドライブ境界情報から、６倍速に対応する境界情報（物理アドレス）Ａｄ６を読み取り、この境界情報Ａｄ６と現記録位置の物理アドレスＡｃとを比較する（Ｓ１１２）。ここで、現記録位置の物理アドレスＡｃが境界情報Ａｄ６よりもディスク外周側になければ（Ｓ１１２：ＮＯ）、コントローラ２１０は、自身の記録限界位置を示すドライブ境界情報から、６倍速よりも１ランク低速の４倍速に対応する境界情報（物理アドレス）Ａｄ４を読み取り、この境界情報Ａｄ６と現記録位置の物理アドレスＡｃとを比較する（Ｓ１２２）。
【００６７】
ここで、現記録位置の物理アドレスＡｃが境界情報Ａｄ４よりもディスク外周側にあれば（Ｓ１２２：ＹＥＳ）、コントローラ２１０は、記録速度を４倍速に設定し（Ｓ１２３）、各部を制御して、４倍速による記録動作を開始する（Ｓ１２４）。
【００６８】
しかして、４倍速により記録を開始した後、コントローラ２１０は、ユーザによる指定倍速が４倍速かを判別する（Ｓ１２５）。ここでは、ユーザによる指定倍速が８倍速であるため（Ｓ１２５：ＮＯ）、コントローラ２１０は、現記録位置Ａｃと、現在設定されている４倍速よりも１ランク高速の６倍速による２つの境界情報Ａｂ６、Ａｄ６とを比較し（Ｓ１１１、Ｓ１１２）、記録の進行に伴って現記録位置Ａｃがこれら２つの境界情報Ａｂ６、Ａｄ６の何れよりも外周側となったかを監視する。
【００６９】
そして、コントローラ２１０は、現記録位置Ａｃがこれら２つの境界情報Ａｂ６、Ａｄ６の何れか一方よりも内周側である間（Ｓ１１１：ＹＥＳ、Ｓ１１２：ＮＯ、Ｓ１１２：ＹＥＳ）は、４倍速にて記録を実行する（Ｓ１２３、Ｓ１２４）。その後、現記録位置Ａｃがこれら２つの境界情報Ａｂ６、Ａｄ６の何れよりも外周側に達すると（Ｓ１１１：ＹＥＳ、Ｓ１１２：ＹＥＳ）、コントローラ２１０は、記録速度を１ランク高速の６倍速に設定し（Ｓ１１３）、各部を制御して、６倍速による記録動作を開始する（Ｓ１１４）。
【００７０】
その後、同様に、コントローラ２１０は、記録の進行に伴って、現記録位置Ａｃが、６倍速よりも１ランク高速の８倍速による２つの境界情報Ａｂ８、Ａｄ８の何れよりも外周側となったかを監視する（Ｓ１１５：ＮＯ→Ｓ１０１、Ｓ１０２）。そして、現記録位置Ａｃがこれら２つの境界情報Ａｂ８、Ａｄ８の何れよりも外周側に達すると（Ｓ１０１：ＹＥＳ、Ｓ１０２：ＹＥＳ）、コントローラ２１０は、記録速度を１ランク高速の８倍速に設定し（Ｓ１０３）、各部を制御して、８倍速による記録動作を開始し、当該記録動作が終了するまで、そのまま、８倍速にて記録を実行する（Ｓ１０４）。
【００７１】
ユーザから４倍速による記録が指定された場合、コントローラ２１０は、システムリードイン情報に含まれたディスク境界情報から、４倍速に対応する境界情報（物理アドレス）Ａｂ４を読み取り、この境界情報Ａｂ４と現記録位置の物理アドレスＡｃとを比較する（Ｓ１２１）。そして、現記録位置の物理アドレスＡｃが境界情報Ａｂ４よりもディスク外周側になければ（Ｓ１２１：ＮＯ）、コントローラ２１０は、記録速度を２倍速に設定し（Ｓ１３１）、各部を制御して、２倍速による記録動作を開始する（Ｓ１３２）。
【００７２】
しかして、２倍速により記録を開始した後、コントローラ２１０は、ユーザによる指定倍速が２倍速かを判別する（Ｓ１３３）。ここでは、ユーザによる指定倍速が４倍速であるため（Ｓ１３３：ＮＯ）、コントローラ２１０は、現記録位置Ａｃと、現在設定されている２倍速よりも１ランク高速の４倍速による２つの境界情報Ａｂ４、Ａｄ４とを比較し（Ｓ１２１、Ｓ１２２）、記録の進行に伴って現記録位置Ａｃがこれら２つの境界情報Ａｂ４、Ａｄ４の何れよりも外周側となったかを監視する。
【００７３】
そして、コントローラ２１０は、現記録位置Ａｃがこれら２つの境界情報Ａｂ４、Ａｄ４の何れか一方よりも内周側である間（Ｓ１２１：ＮＯまたはＳ１２２：ＮＯ）は、２倍速にて記録を実行する（Ｓ１３１、Ｓ１３２）。その後、現記録位置Ａｃがこれら２つの境界情報Ａｂ４、Ａｄ４の何れよりも外周側に達すると（Ｓ１２１：ＹＥＳ、Ｓ１２２：ＹＥＳ）、コントローラ２１０は、記録速度を１ランク高速の４倍速に設定し（Ｓ１２３）、各部を制御して、４倍速による記録動作を開始する（Ｓ１２４）。
【００７４】
しかして、４倍速により記録を開始した後、コントローラ２１０は、ユーザによる指定倍速が４倍速かを判別する（Ｓ１２５）。ここでは、ユーザによる指定倍速が４倍速であるため（Ｓ１２５：ＹＥＳ）、コントローラ２１０は、当該記録動作が終了するまで、そのまま、４倍速にて記録を実行する（Ｓ１２４）。
【００７５】
ユーザからの指定倍速が６倍速の場合も、上記４倍速の場合と同様に記録動作が実行される。また、ユーザからの指定倍速が２倍速の場合は、図３（ａ）に示す如く、データ領域１４の全領域が記録保証ゾーンであるため、２倍速のまま記録が実行される（Ｓ１３１，Ｓ１３２，Ｓ１３３）。
【００７６】
図６は、未記録のディスク１０（追記型）に対し８倍速にて記録を行ったときの流れを模式的に示す図である。なお、ここでは、各倍速におけるドライブ境界情報（物理アドレス）は、何れも、ディスク境界情報よりもディスク内周側にあるとされている。
【００７７】
同図（ａ）に示す如く、ディスク内周側から４倍速の境界情報（物理アドレス）Ａｂ４までの領域では、２倍速にて記録が行われる。その後、記録位置が４倍速の境界情報（物理アドレス）Ａｂ４に到達すると、同図（ｂ）に示す如く、そこから６倍速の境界情報（物理アドレス）Ａｂ６までの領域では、４倍速にて記録が行われる。さらに、記録位置が６倍速の境界情報（物理アドレス）Ａｂ６に到達すると、同図（ｃ）に示す如く、そこから８倍速の境界情報（物理アドレス）Ａｂ８までの領域では、６倍速にて記録が行われる。そして、記録位置が８倍速の境界情報（物理アドレス）Ａｂ８に到達すると、同図（ｄ）に示す如く、その後、最外周位置まで、８倍速にて記録が行われる。
【００７８】
ここで、ディスクに記録される境界位置についてさらに詳しく述べる。物理アドレスはシステムリードイン領域１３から設定されており、ディスク外周に向かって順次与えられている。システムリードイン領域１３は、ピット列が形成された再生専用領域であるため、境界位置をシステムリードイン領域の中に設定することはないようにする。つまり、境界位置はシステムリードイン領域より外側に設定される。
【００７９】
また、記録型ディスクでは、データの記録状態などを順次更新したディスク管理情報を、データ領域の最内周側に設定したデータリードイン領域に記録する。記録済みもしくは途中のディスクにおいてデータリードイン情報が正確に読み出されることは非常に重要であるため、データリードイン領域の中に境界位置を設定することは望ましくない。これはデータリードイン情報の記録途中で突然線速が変更されて最適な記録ができなくなるのを回避するためである。また、データリードイン領域に設定されたテスト記録領域の途中などに境界位置が設定されると、テスト記録によるレーザパワー設定が困難になるため、この点からも、データリードイン領域の中に境界位置を設定することは望ましくない。よって、境界位置は、データリードイン領域よりも外側に設定されることが望ましい。
【００８０】
また、８倍速以上の速度で記録可能なディスクでは、境界位置がディスクの最外周付近に近づくことが予想される。しかし、そのディスクが８倍速以上の所定倍速で記録可能とするには、ディスクメーカでのディスク検査時のチャッキングずれやディスク偏心などを考慮して、最外周トラックから１ｍｍ以上内周側の範囲において、当該所定倍速にて記録補償できる必要がある。また、最外周には再生終了時などの暴走を防ぐ目的でデータリードアウト領域１５が設定されており、ユーザデータは記録されない。直径１２ｃｍのディスクにおいては、最外周トラックの形成位置は半径約５８ｍｍの位置であるため、ユーザが高倍速記録の利便性を実感できるためには、少なくとも半径５５ｍｍよりも外周部分は最高倍速の記録報償エリアである必要がある。当然、半径５５ｍｍより内周部分から最高倍速の記録が可能となればよりユーザ利便性が向上することになる。
【００８１】
以上、本実施の形態によれば、所定倍速にて記録が可能であると保証された領域の境界情報（ディスク境界情報）が各倍速に関連付けてシステムリードイン領域１３に記録されているため、光ディスク装置は、システムリードイン領域１３を再生することにより、各倍速に対応する境界情報を取得することができる。よって、光ディスク装置は、倍速記録が指定された場合に、当該倍速に対応する境界よりも外周側では当該倍速にて記録を実行し、それより内周側では、適宜、指定された倍速よりも低速で記録を行うよう制御することができる。又、記録保証ゾーンでは、設定される倍速で記録できることが保証されており、最適な記録ができる。記録保証ゾーンが外周にあることで、線速度一定の記録では倍速で記録される容量も多くなる。これにより、倍速記録によるユーザの利便性向上と記録情報の信頼性を同時に実現することができる。なお、図５のフロー処理によれば、指定倍速による記録が不可能な場合は、なるべく高速の倍速にて記録が行われるため、記録の迅速化を図ることができる。
【００８２】
＜他の実施形態１＞
図７は、ディスク１０の厚み方向に２つの記録層が配された場合のエリアフォーマットと、システムリードイン領域２１におけるデータフォーマットを示す図である。同図において、Ｌ０はレーザ光入射面に近い方の記録層、Ｌ１はレーザ光入射面から離れた方の記録層である。
【００８３】
記録層Ｌ０は、内周から順に、システムリードイン領域２１、コネクション領域２２、データ領域２３、ミドル領域２４にエリア分割されている。また、記録層Ｌ１は、内周から順に、バーストカッティング領域（ＢＣＡ）２９、システムリードアウト領域２８、コネクション領域２７、データ領域２６、ミドル領域２５にエリア分割されている。なお、ＢＣＡの再生を容易にするため、記録層Ｌ１以外の記録層Ｌ０には、ＢＣＡが配置されていない。
【００８４】
システムリードイン領域２１とシステムリードアウト領域２８には、グルーブは形成されておらず、ピット列のみが形成されている。システムリードイン領域２１のデータフォーマットは、図２の場合と同様であり、記録層Ｌ０、記録層Ｌ１それぞれについての記録パラメータ、対応するそれぞれの倍速について記録パラメータ、サーボパラメータなどが物理パラメータ情報に加えられている。
【００８５】
コネクション領域は、記録層Ｌ０、Ｌ１とも平坦な鏡面となっている。これらは、システムリードインとデータ領域でのトラックピッチなどの物理パラメータが異なるために設けられている。また、システムリードイン領域２１は、ディスクの初期物理情報等の読み出しを容易にするため、トラックピッチが広く設定されている。
【００８６】
データ領域２３、２６とミドル領域２４、２５には、螺旋状のグルーブが形成されている。グルーブは、上記図２の場合と同様、ディスク径方向に蛇行（ウォブル）している。このウォブルによって物理アドレスが保持されている。なお、データは、記録層Ｌ０の内周から外周へと記録され、記録層Ｌ０の最外周位置まで記録されると、記録層Ｌ１の外周から内周へと記録される。
【００８７】
挿入されたディスクがブランクディスクである場合は、システムリードイン情報が読み取られ、記録層Ｌ０のデータ領域２３にデータリードイン領域が作製され、作製されたデータリードイン領域にシステムリードイン情報がコピーされ、さらに記録層Ｌ０用のドライブテスト領域などが設定される。記録層Ｌ１にはデータリードアウト領域が作製され、記録層Ｌ１用のドライブテスト領域などが設定される。データリードイン・データリードアウト領域の記録線速度は、もっとも記録特性のよい線速度、つまり最高速度よりは低速度とするのが望ましく、１倍速、もしくは２倍速での記録が好適である。
【００８８】
図７の構成例では、上述のディスク境界情報が記録層毎に設定されており、これらがともに、物理パラメータ情報として、システムリードイン領域２１に保持されている。なお、上記と同様、ディスク境界情報をコントロールデータセクションのリザーブエリアに格納することもできる。
【００８９】
図８は、ディスク境界情報の設定例を示す図である。同図（ａ）、（ｂ）、（ｃ）、（ｄ）は、それぞれ、記録速度が２倍速、４倍速、６倍速、８倍速の場合のディスク境界情報の設定例を示している。
【００９０】
図示の如く、本実施の形態では、奥側の記録層Ｌ１のおける境界情報（Ａｂ４、Ａｂ６、Ａｂ８）が手前の記録層Ｌ０のおける境界情報（Ａｂ４、Ａｂ６、Ａｂ８）よりも外周側に設定されている。これは、以下の理由によるものである。
【００９１】
本実施の形態のように、ディスクの厚み方向に２つの記録層が配されている場合、一般に、手前の記録層Ｌ０の特性の方が奥の記録層Ｌ１よりも良好となる。このため、同じ径方向位置であれば、記録信号の信頼性は、記録層Ｌ０の方が高く、よって、記録特性を保証する境界も記録層Ｌ０の方が記録層Ｌ１よりも内周にあって然るべきである。
【００９２】
また、記録層が複数存在する場合、記録層が１層の場合に比べて各記録層での反射率が低下し、層間のクロストークも発生するなど、ディスク全体の記録再生特性が記録層１層のディスクに比べて低下する。さらにディスクの初期物理情報等を記録するシステムリードイン領域２１は両方の記録層にはなく、記録層Ｌ０に位置している。このため、倍速記録へ対応するための情報や記録条件など詳細なディスクパラメータを有する記録層Ｌ０は、できる限り再生特性を良くする必要がある。ドライブでもまず記録層Ｌ０より再生動作に入るため各パラメータを記録層Ｌ０から調整することが多くなる。よって記録層Ｌ０を基準記録層として、記録層Ｌ１の設定、特に境界位置を設定することが望ましい。
【００９３】
この理由から、図８の設定例では、手前の記録層Ｌ０の境界情報（物理アドレス）よりも、記録層Ｌ１の境界情報（物理アドレス）をディスク外周側にシフトさせている。これにより、特に、記録層Ｌ１の境界の信頼性が高められ、結果、記録情報の信頼性を高めることができる。
【００９４】
ここで、記録層Ｌ０の境界情報に対する記録層Ｌ１の境界情報のシフト量は、たとえば、ディスク１０に想定される偏心量や、ターンテーブルに対する光ディスクの装着誤差の最大想定値等を考慮して設定される。
【００９５】
たとえば、偏心量を考慮する場合、想定される最大偏心量だけ、記録層Ｌ１の境界を記録層Ｌ０の境界から外周側にシフトさせる。上記のとおり、記録特性は、記録層Ｌ０が最も安定しているため、ディスク１０に境界を設定する場合、ディスクメーカでは、記録層Ｌ０に対して検証を行って境界を取得し、この境界を所定マージンだけ外周側にシフトした位置に、記録層Ｌ０と記録層Ｌ１の境界を設定する方法が取られ得る。この場合、マージンは、記録層Ｌ０と記録層Ｌ１との間の記録特性の差を考慮して、記録層Ｌ１においてもその境界をもって当該倍速記録が保証できるよう広めに設定される。
【００９６】
しかし、通常、ディスク１０には個別に偏心があるため、実際のディスクに対しこの境界をそのまま設定すると、上記のようにマージンを広めに設定しても、記録特性が劣る他の記録層については、この境界が適正でなくなる惧れがある。よって、これを回避するために、特性が劣る記録層Ｌ１については、マージンをとった後の境界からさらに最大偏心量だけ外周側にシフトした位置に境界情報（物理アドレス）を設定するようにする。こうすると、ディスク毎に個別に偏心があっても、記録層Ｌ１に対する境界情報が保証され、境界情報の信頼性を高めることができる。
【００９７】
実際の製造誤差などを加味して、記録層Ｌ０の最大偏心が４０μｍ程度であり、記録層Ｌ１の最大偏心が６０μｍ程度であれば、記録層Ｌ１の境界位置を、記録層Ｌ０の境界位置よりも１００μｍ以上程度外周になるよう設定しておけば、実際のディスクと検証時のディスクとの間に上述の最大偏心が生じたとしても、偏心によって境界の設定位置が不適正となることはない。よって、記録層Ｌ０、Ｌ１の境界位置を１００μｍ程度ずらして設定しておけば、境界位置に誤りのないディスクを大量かつ安定的に供給することができる。
【００９８】
同様に、ターンテーブルに対する光ディスクの装着誤差を考慮する場合には、当該誤差の最大想定値だけ、記録層Ｌ１の境界を記録層Ｌ０の境界から外周側にシフトさせるようにする。ここで、装着誤差とは、ターンテーブルの回転軸に対するディスクセンターの位置関係がディスク検証時に対してずれることをいう。この装着誤差は、たとえば、ディスククランプ時に、ディスクのセンターホールとこのセンターホールに係合するターンテーブルのハブとの係合状態が、ディスク検証時の係合状態に対してずれることによって生じる。
【００９９】
この場合も、上記偏心の場合と同様、記録層Ｌ０を基準に記録層Ｌ１の境界を設定すると、実際のディスクでは、装着誤差に起因して、記録特性の劣る記録層Ｌ１の境界が適正でなくなる惧れがある。よって、これを回避するために、記録層Ｌ１については、マージンをとった後の境界からさらに装着誤差の最大想定値だけ外周側にシフトした位置に境界情報（物理アドレス）を設定するようにする。
【０１００】
なお、ディスクメーカにおいて記録層の品質検査を行う場合、記録層Ｌ０と記録層Ｌ１のそれぞれについて記録特性を求め、それぞれの記録層について境界位置を個別に特定する方法がとられ得る。このとき、境界位置が記録層ごとに大きく異なっている場合、そのままの境界位置を各記録層にそれぞれ設定してもよいが、より境界位置の信頼性を高め、かつ、制御処理を簡易化するために、各記録層の境界位置のうち最も外周側にある境界位置に記録層Ｌ０、Ｌ１の境界位置を揃えるようにしても良い。
【０１０１】
また、このように揃えた境界位置を、上記と同様、ディスクの偏心や装着誤差を考慮して、ディスク外周側にシフトさせても良い。さらに、記録特性が劣化し易い記録層Ｌ１の境界位置を、このように揃えた境界位置から一定距離だけ外周側に設定し、境界位置の安全性をさらに担保するようにしても良い。
【０１０２】
なお、物理アドレスにて境界位置を設定する場合は、以下の理由から、記録層Ｌ１の境界位置が記録層Ｌ０の境界位置よりも０．５ｍｍより離れない範囲で、記録層Ｌ１の境界位置を記録層Ｌ０の境界位置に対してシフトさせれば良い。すなわち、ディスク製造時の誤差（スタンパの取り付け誤差など）により、記録層Ｌ０と記録層Ｌ１のトラックの開始位置がディスク径方向に０．５ｍｍ程度ずれることが起こり得る。このようにトラック開始位置に誤差が生じると、ディスク面上の同じ位置であっても、記録層Ｌ０とＬ１の間で物理アドレスが、最大０．５ｍｍに相当するアドレス差だけ相違する。よって、物理アドレスにて境界位置を設定する場合は、０．５ｍｍに相当するアドレス差の範囲で、記録層Ｌ１の境界位置を記録層Ｌ０の境界位置よりも外周側にシフトさせれば良い。
【０１０３】
図９は、奥側の記録層Ｌ１に対して倍速記録を行う場合の処理フローである。手前の記録層Ｌ０に対する処理フローは、図５と同様である。なお、この処理フローも、ディスク１０が追記型である場合のものである。
【０１０４】
図９において、Ｓ２０１〜Ｓ２０４の処理ステップ、Ｓ２１１〜Ｓ２１４の処理ステップ、Ｓ２２１〜Ｓ２２４の処理ステップおよびＳ２３１〜Ｓ２３２の処理ステップは、それぞれ、図５におけるＳ１０１〜Ｓ１０４の処理ステップ、Ｓ１１１〜Ｓ１１４の処理ステップ、Ｓ１２１〜Ｓ１２４の処理ステップおよびＳ１３１〜Ｓ１３２の処理ステップと略同様である。
【０１０５】
ただし、奥側の記録層Ｌ１の物理アドレスは、手前の記録層Ｌ０の物理アドレスと反対の方向、すなわち、外周から内周に向かって与えられるため、Ｓ２０１、Ｓ２０２、Ｓ２１１、Ｓ２１２、Ｓ２２１、Ｓ２２２における大小判定が、左辺と右辺で逆になっている。
【０１０６】
また、記録層Ｌ１では、上記と異なり、外周から内周に向かって記録が行われるため、記録の進行に伴って現記録位置（物理アドレス）が各倍速の境界情報（物理アドレス）よりも内周側に到達することが起こり得る。この場合、倍速を１ランク下げなければならない。
【０１０７】
よって、図９の処理フローでは、８倍速にて記録実行の際（Ｓ２０３、Ｓ２０４）、現記録位置（物理アドレス）Ａｃが各倍速のディスク境界情報（物理アドレス）Ａｂ８またはドライブ境界情報（物理アドレス）Ａｄ８よりも内周側に到達しないかが監視される（Ｓ２０１，Ｓ２０２）。同様に、６倍速、４倍速にて記録が実行される際（Ｓ２１３、Ｓ２１４／Ｓ２２３，Ｓ２２４）、現記録位置（物理アドレス）Ａｃが各倍速のディスク境界情報（物理アドレス）Ａｂ６、Ａｂ４またはドライブ境界情報（物理アドレス）Ａｄ６、Ａｄ４よりも内周側に到達しないかが監視される（Ｓ２１１，Ｓ２１２／Ｓ２２１、Ｓ２２２）。そして、現記録位置Ａｃがこれら境界情報よりも内周側に到達すると、記録速度が１ランク低速の倍速に切り替えられ（Ｓ２１３、Ｓ２２３、Ｓ２３１）、切り替えられた倍速にて記録が行われる（Ｓ２１４、Ｓ２２４、Ｓ２３４）。
【０１０８】
なお、現記録位置Ａｃが４倍速の境界情報（物理アドレス）Ａｂ４またはＡｄ４よりも内周側に到達した後は、２倍速でしか記録が行い得ないため、倍速を２倍速として（Ｓ２３１）、記録が行われる（Ｓ２３２）。
【０１０９】
図１０は、奥側の記録層Ｌ１の最外周部から８倍速にて記録が行われる際の流れを模式的に示す図である。なお、ここでは、各倍速におけるドライブ境界情報（物理アドレス）は、何れも、ディスク境界情報よりもディスク内周側にあるとされている。
【０１１０】
同図（ｄ）に示す如く、ディスク外周側から８倍速の境界情報（物理アドレス）Ａｂ８までの領域では、８倍速にて記録が行われる。その後、記録位置が８倍速の境界情報（物理アドレス）Ａｂ８に到達すると、同図（ｃ）に示す如く、そこから６倍速の境界情報（物理アドレス）Ａｂ６までの領域では、６倍速にて記録が行われる。さらに、記録位置が６倍速の境界情報（物理アドレス）Ａｂ６に到達すると、同図（ｂ）に示す如く、そこから４倍速の境界情報（物理アドレス）Ａｂ４までの領域では、４倍速にて記録が行われる。そして、記録位置が４倍速の境界情報（物理アドレス）Ａｂ４に到達すると、同図（ａ）に示す如く、その後、最内周位置まで、２倍速にて記録が行われる。
【０１１１】
ここで、ディスクに記録される境界位置についてさらに詳しく述べる。記録層Ｌ０の物理アドレスは、システムリードインから設定されており、ミドルエリアの最後まで内周側から順次与えられている。記録層Ｌ１には、ミドルエリアからデータリードアウト、システムリードアウト領域まで外周側から順次、物理アドレスが設定されている。
【０１１２】
システムリードイン領域・システムリードアウト領域は、ピット列が形成された再生専用領域であるため、境界位置をシステムリードイン領域・システムリードアウト領域の中に設定することはないようにする。つまり、境界位置は、システムリードイン領域・システムリードアウト領域より外側に設定される。
【０１１３】
また、記録型ディスクでは、データの記録状態などを順次更新した管理情報を、データリードイン領域に記録する。記録済みディスクにおいてデータリードイン情報が正確に読み出されることは非常に重要であるため、データ領域の最内周に設定されたデータリードイン領域の中に境界位置を設定することは望ましくない。これはデータリードイン情報の記録途中で突然線速が変更され、最適な記録ができないなどの問題が生じることを回避するためである。また、データリードイン領域・データリードアウト領域に設定されたテスト記録領域の途中などに境界位置が設定されると、テスト記録によるレーザパワー設定が困難になると考えられるためでもある。よって、境界位置はデータリードイン領域・データリードアウト領域よりも外側に設定されることが望ましい。
【０１１４】
また、８倍速以上の速度で記録可能なディスクでは、境界位置がディスクの最外周付近に近づくことが予想される。しかし、そのディスクが８倍速以上の所定倍速で記録可能とするには、ディスクメーカでのディスク検査時のチャッキングずれやディスク偏心などを考慮して、記録層Ｌ０、記録層Ｌ１ともに、最外周トラックから１ｍｍ以上内周側の範囲において、当該所定倍速にて記録補償できる必要がある。また、最外周にはレイヤー終了時などの暴走を防ぐ目的でミドルエリアが設定されており、ユーザデータは記録されない。最外周トラックの形成位置は半径約５８ｍｍの位置であるため、ユーザが高倍速記録の利便性を実感できるためには少なくとも半径５５ｍｍよりも外周部分は最高倍速の記録報償エリアである必要がある。当然、半径５５ｍｍより内周部分から最高倍速の記録が可能となればよりユーザ利便性が向上することになる。
【０１１５】
＜他の実施形態２＞
図９は、ディスク１０が追記型の場合の処理フローであったが、ディスク１０が記録層を２層有する書き換え可能なディスクである場合、倍速記録時の処理フローは、たとえば、図１１および図１２のように変更される。この場合、記録位置は、同一記録層内の離れた位置にジャンプされ、さらには、記録層間に渡ってもジャンプされ得る。
【０１１６】
図１１は、現記録位置が手前の記録層Ｌ０にある場合の処理フロー、図１２は、現記録位置が奥側の記録層Ｌ１にある場合の処理フローである。記録層Ｌ０では内周から外周に向かって記録が行われ、記録層Ｌ１では外周から内周に向かって記録が行われる。エリアフォーマットおよびデータフォーマットは、図７と同様である。
【０１１７】
ディスク１０が書き換え可能な場合も、ジャンプが行われるまでは、追記型ディスクの場合と同様、記録層Ｌ０では内周から外周に、また、記録層Ｌ１では外周から内周に向かって連続的に記録が行われる。よって、ジャンプが行われるまでは、記録層Ｌ０については図５と同様の処理が行われ、記録層Ｌ１については図９と同様の処理が行われれば良い。
【０１１８】
よって、図１１におけるＳ３０１〜Ｓ３０４の処理ステップ、Ｓ３１１〜Ｓ３１４およびＳ３１６の処理ステップ、Ｓ３２１〜Ｓ３２４およびＳ３２６の処理ステップ、Ｓ３３１〜Ｓ３３２およびＳ３３４の処理ステップは、それぞれ、図５におけるＳ１０１〜Ｓ１０４の処理ステップ、Ｓ１１１〜Ｓ１１４およびＳ１１５の処理ステップ、Ｓ１２１〜Ｓ１２４およびＳ１２５の処理ステップ、Ｓ１３１〜Ｓ１３２およびＳ１３３の処理ステップと同じである。
【０１１９】
同様に、図１２におけるＳ４０１〜Ｓ４０４の処理ステップ、Ｓ４１１〜Ｓ４１４の処理ステップ、Ｓ４２１〜Ｓ４２４の処理ステップ、Ｓ４３１〜Ｓ４３２の処理ステップは、それぞれ、図９におけるＳ２０１〜Ｓ２０４の処理ステップ、Ｓ２１１〜Ｓ２１４の処理ステップ、Ｓ２２１〜Ｓ２２４の処理ステップ、Ｓ２３１〜Ｓ２３２の処理ステップと同じである。
【０１２０】
ただし、ディスク１０が書き換え可能な場合は、上記の如く、記録動作の途中で記録位置が同一記録層の離れた位置または他の記録層へとジャンプされる場合がある。この場合、ジャンプが行われると、現記録位置がそれまでの記録位置とは連続性のない他の位置へと変化するため、ジャンプの後に、指定倍速による記録の可否の判定およびそれに基づく処理を再度やり直す必要がある。このため、図１１および図１２の処理フローでは、ジャンプが行われたとき（Ｓ３０５〜Ｓ３３３：ＹＥＳ／Ｓ４０５〜Ｓ４３３：ＹＥＳ）は、指定倍率の処理フローの先頭に進むこととなっている。
【０１２１】
たとえば、ユーザにより６倍速が指定され、現在、記録層Ｌ０について図１１のステップＳ３１４の処理を行っている際に、同一記録層Ｌ０内でジャンプが発生すると、ジャンプ後の記録処理は、指定倍速された６倍速で記録層Ｌ０おいて記録を行うための処理フローの先頭ステップ、すなわち、図１１のＳ３１１から実行される。また、ユーザにより８倍速が指定され、現在、記録層Ｌ０について図１１のステップＳ３２４の処理を行っている際に、他の記録層Ｌ１へのジャンプが発生すると、ジャンプ後の記録処理は、指定倍速された８倍速で記録層Ｌ１おいて記録を行うための処理フローの先頭ステップ、すなわち、図１２のＳ４０１から実行される。
【０１２２】
なお、ここでは、ディスク１０が、記録層を２層有する書き換え可能なディスクである場合の倍速記録処理について説明したが、ディスク１０が記録層を１層のみ有する書き換え可能なディスクである場合の倍速記録処理は、図１１の処理フローに従うこととなる。
【０１２３】
このように、ディスク１０が書き換え可能型である場合も、追記型の場合と同様、倍速記録が指定された場合に、当該倍速に対応する境界よりも外周側では当該倍速にて記録を実行し、それより内周側では、適宜、指定された倍速よりも低速で記録を行うよう制御することができ、これにより、倍速記録によるユーザの利便性向上と記録情報の信頼性を同時に実現することができる。また、指定倍速による記録が不可能な場合は、なるべく高速の倍速にて記録が行われるため、記録の迅速化を図ることができる。
【０１２４】
以上、本発明の実施形態について説明したが、本発明は、上記実施の形態によって何ら制限されるものではなく、また、本発明の実施形態も上記以外に種々の変更が可能である。
【０１２５】
たとえば、上記実施の形態では、システムリードイン領域１３にディスク境界情報のみを保持することとしたが、この情報とともに、図３および図８に示す選択ゾーンの範囲を識別するための情報を併せてシステムリードイン領域１３等に保持させるようにしても良い。たとえば、選択ゾーンの開始および終了の物理アドレス位置などを記録する。こうすると、ディスクメーカがディスク境界情報にて規定した境界位置が選択ゾーンの範囲内に入っているかを光ディスク装置側において判別することができ、たとえば、境界位置が選択ゾーン外に設定されている場合には、信頼性が疑わしい光ディスクであるとして、倍速記録を実行せず、あるいは、記録自体を行わない等の動作を、光ディスク装置側において行うことができる。
【０１２６】
さらに、境界位置情報は具体的に８倍速までとして示したが、さらに高速記録に対応した光ディスクであっても良く、倍速を高めたことに応じて境界位置をさらに多く設定しても良い。ｎ倍速まで対応したディスクに複数の境界位置が設定されたディスクを図１３に示す。このとき、ｎ倍速での記録保証ゾーンと選択ゾーン・未検証ゾーンが設定される。選択ゾーンのＡｂｎより外周部分は、ディスクメーカでの記録が検証されており、ｎ倍速においても十分な記録特性を有している。一方、Ａｂｎより内周部分は、ｎ倍よりも低い記録速度で記録することになるが、この場合、ディスクメーカは、どの倍速で記録できるかを検証し、それぞれの倍速で検証できた境界位置をＡｂ４、Ａｂ６、Ａｂ８として複数設定する。
【０１２７】
こうすることで、Ａｂｎより内周部をどの倍速でどこまで記録可能かを示すことができ、ドライブは、上記と同様、ユーザの選択する倍速速度で記録する際、境界位置により段階的に線速度を制御させることが可能である。これにより、ｎ倍速メディアはｎ倍より低速のメディアとしても使用することができ、低速にしか対応しないドライブでも使用可能となる。当然、この技術は記録層が複数ある光ディスクでも同様である。このとき、図９、図１１、図１２にそれぞれｎ倍のフローが追加される。
【０１２８】
また、上記実施の形態では、境界位置や各ゾーンの位置情報を物理アドレス情報として記録することを示したが、これに限るものではなく、半径位置や内中外周といった、ディスクの位置情報を与えるものであってもよい。この場合には取り付け誤差や偏心などを充分に考慮して位置情報を与える必要が生じる。また、倍速の情報も何倍という情報の他、実際の線速度など、ディスクの回転速度に関わる情報であればどのようなものでもよい。
【０１２９】
さらに、２つの記録層を有するディスクでは、それぞれの記録層に対して境界位置と倍速の設定を行えることとしたが、これに限るものではなく、複数層の記録層がある光ディスクにおいても記録層Ｌ０についての情報を記録しておき、ドライブがそのＬ０層の情報を元に、他の層の境界情報に置き換えてもよい。
【０１３０】
また、上記実施の形態では、記録可能なＨＤに本発明を適用した場合の例を示したが、ブルーレイディスク等の他のディスクおよびそのドライブ装置に本発明を適用することもできる。ブルーレイディスクでは、システムリードイン領域はピット構造ではなく、高周波のウォブルによってディスクの物理情報を保持している違いがあるが、本願記載のディスク条件をブルーレイディスクの構造に置き換えれば適応することが可能である。
【０１３１】
さらに、上記実施の形態では、１層または２層の記録層を有するディスクとそのドライブ装置を例示したが、３層以上の記録層を有するディスクおよびそのドライブ装置に本発明を適用することも可能である。また、選択ゾーンと記録保証ゾーンのエリア割りも例示であって、これ以外のエリア割りも適宜行われ得る。
【０１３２】
また、上記実施の形態では、ディスク境界情報の他、ドライブ境界情報をも参照して、記録速度（倍速）を設定するようにしたが、光ディスク装置の性能が高く、常に、ディスク境界情報による境界よりも内周側にて記録が可能な場合には、ディスク境界情報のみ参照して、記録速度（倍速）を設定するようにしても良い。この場合、たとえば、図５の処理フローからＳ１０２、Ｓ１１２、Ｓ１２２が省略され、図９、図１１、図１２においても、同様のステップが省略される。
【０１３３】
また、上記実施の形態では、予め、データ領域１４に記録保証ゾーンと選択ゾーンと未検証ゾーンが設定されていたが、これらのゾーンが設定されずに、境界情報のみによってデータ領域１４が区分され、境界情報による境界位置よりも外周側では対応する倍速にて記録が可能であり、当該境界位置よりも内周側では対応する倍速にて記録が不可であるとしても良い。
【０１３４】
さらに、上記実施の形態では、選択ゾーンを特定するための情報をシステムリードイン情報に含めても良いとしたが、記録保証ゾーンと未検証ゾーンを特定するための情報をシステムリードイン情報やＢＣＡ情報に含めるようにしても良い。こうすると、ドライブ側で、これらゾーンを特定することができ、たとえば、記録保証ゾーンのみに対応する倍速で記録を行うような処理を行うこともできる。
【０１３５】
ところで、上記実施の形態では、システムリードインに記録された境界情報に基づいて記録速度を決定することを開示したが、これ替えて、選択ゾーン内でのサーボ特性に応じて、適宜、記録速度を変更するようにすることもできる。
【０１３６】
サーボ特性を示すラジアルトラッキングの残差は、一般にディスクの溝形状に起因して発生するが、高倍速記録時に回転数が大きくなると、これに伴って残差が大きくなる傾向がある。ラジアルトラッキングの残差は、ラジアルプッシュプル信号から取得され得る。
【０１３７】
記録保証ゾーンにおけるラジアルトラッキングの残差は、ドライブが適正に動作できる値（たとえば、±０．０１４μｍ以下）となっている。選択ゾーンでは、同様なサーボ特性を用いた場合のラジアルトラッキング残差は、記録保証ゾーンの残差よりも大きな値（たとえば、±０．０２０μｍ以下）であり、記録膜のマージンやチルトなどの機械特性の変動が小さいなどの特定の条件が整えば、ドライブが適正に動作できる可能性がある値となっている。未検証ゾーンでは、選択ゾーンの残差より大きくなることは明らかで、ドライブが適正に動作できない。
【０１３８】
この場合、ドライブ装置は、指定された倍速で記録を行う際に、まず、その倍速に対して選択ゾーンが設定されているかを判断する。そして、選択ゾーンが設定されている場合には、たとえば、記録動作に先立ち、選択ゾーンにおいてその倍速によるサーボ特性の検証を行い、サーボ特性が保証される領域の境界位置を選択ゾーン内に確定する。そして、記録位置がこの境界位置よりも外周側にあれば、指定された倍速にて記録を行い、記録位置がこの境界位置よりも内周側にあれば、指定された倍速よりも低速にて記録を行う。
【０１３９】
この場合、境界位置の確定は、予めディスク装着時に行ってもよく、これにより確定した境界位置に関する情報をメモリに格納しておいて、記録動作時に読み出すようにしても良い。また、選択ゾーンは、システムリードイン領域の情報を読み出すことによりその範囲を特定してもよいが、特定の倍速では選択ゾーンはどの範囲にあるかをあらかじめドライブのメモリなどに記憶しておいてもよい。なお、サーボ特性の検証は、上述のラジアルトラッキングの残差を参照して行うことができるが、これ以外のパラメータ（例えば、加速度特性や偏心量）をもとに、サーボ特性の判断を行っても良い。
【０１４０】
この他、本発明の実施の形態は、特許請求の範囲に示された技術的思想の範囲内において、適宜、種々の変更が可能である。
【図面の簡単な説明】
【０１４１】
【図１】実施の形態に係るディスクのエリアフォーマット。
【図２】実施の形態に係るシステムリードイン領域のデータフォーマット。
【図３】実施の形態に係るディスク境界情報の設定例を示す図。
【図４】実施の形態に係る光ディスク装置の構成を示す図。
【図５】実施の形態に係る倍速記録時の処理フローを示す図。
【図６】実施の形態に係る倍速記録動作を模式的に示す図。
【図７】他の実施形態１に係るディスク（２層タイプ）のエリアフォーマット。
【図８】他の実施形態１に係るディスク境界情報の設定例を示す図。
【図９】他の実施形態１に係る倍速記録時の処理フローを示す図。
【図１０】他の実施形態１に係る倍速記録動作を模式的に示す図。
【図１１】他の実施形態２に係る倍速記録時の処理フローを示す図。
【図１２】他の実施形態２に係る倍速記録時の処理フローを示す図。
【図１３】他の実施形態（ｎ倍速）に係るディスク境界情報の設定例を示す図。
【符号の説明】
【０１４２】
１０  ディスク
１３  システムリードイン領域
２０１  エンコーダ
２０２  変調回路
２０３  レーザ駆動回路
２０４  光ピックアップ装置
２０５  信号増幅回路
２０６  復調回路
２０７  デコーダ
２０８  アドレス生成回路
２０９  サーボ回路
２１１  ディスク駆動モータ
【図１】
0005281804.tif 000003
【図２】
0005281804.tif 000004
【図３】
0005281804.tif 000005
【図４】
0005281804.tif 000006
【図５】
0005281804.tif 000007
【図６】
0005281804.tif 000008
【図７】
0005281804.tif 000009
【図８】
0005281804.tif 000010
【図９】
0005281804.tif 000011
【図１０】
0005281804.tif 000012
【図１１】
0005281804.tif 000013
【図１２】
0005281804.tif 000014
【図１３】
0005281804.tif 000015